(57)【要約】      （修正有）【課題】飲料用容器の栓体において、ロック機構が意図せず解除されることを抑制する。【解決手段】飲料用容器の栓体１は、飲料用の容器本体の開口部に被着される栓本体３と、栓本体の一端にヒンジ部４を介して回動自在に連結される蓋体５と、栓本体の他端で蓋体を閉状態に保持するロック機構６と、を備える。ロック機構は、蓋体に設けられた係合部５１と係合する係合片７と、係合片の外側に併設され上下に摺動自在なスライド片８と、係合片を軸支し且つスライド片をガイドするガイド枠体９と、を有する。スライド片は、係合片に対して上位置にあるとき係合片と共に回動し、係合片に対して下位置にあるとき係合片の回動を規制し、ガイド枠体は、スライド片が係合片に対して下位置にあるときスライド片の下端部面と当接する段差部９２ａ（保護枠部）を有する。【選択図】図４
0003224655.tif 000002
【実用新案登録請求の範囲】
【請求項１】
飲料用容器本体の開口部に被着される栓本体と、前記栓本体の一端にヒンジ部を介して回動自在に連結される蓋体と、前記栓本体の他端で前記蓋体を閉状態に保持するロック機構と、を備えた飲料用容器の栓体において、
前記ロック機構は、前記蓋体に設けられた係合部と係合する係合片と、前記係合片の外側に併設され上下に摺動自在なスライド片と、前記係合片を軸支し且つ前記スライド片をガイドするガイド枠体と、を有し、
前記スライド片は、前記係合片に対して上位置にあるとき該係合片と共に回動し、前記係合片に対して下位置にあるとき前記係合片の回動を規制し、
前記ガイド枠体は、前記スライド片が前記係合片に対して下位置にあるとき該スライド片の下端部面と当接する保護枠部を有することを特徴とする飲料用容器の栓体。
【請求項２】
前記スライド片は、前記係合片の両側部を挟持する一対の側壁部を有し、
前記一対の側壁部は、前記係合片の両側部へ向けて突出した突起部を夫々有し、
前記係合片は、その両側部から前記側壁部に向けて夫々突出した一対の凸部を有し、
前記スライド片が前記係合片に対して上下に摺動するとき、前記突起部は、前記凸部を乗り越えて前記凸部の上端部側又は下端部側に到達することでクリック感を発生させることを特徴とする請求項１に記載の飲料用容器の栓体。
【請求項３】
前記係合片は、前記蓋体に設けられた係合部と係合する爪部と、前記ガイド枠体との連結用の軸支棒が挿通される軸孔を有する軸部と、を有し、
前記凸部は、前記軸部よりも前記爪部側に設けられ、前記突起部は、前記側壁部の上端部側に設けられ、
前記スライド片の正面側のうち下端部側に操作突起部が設けられていることを特徴とする請求項２に記載の飲料用容器の栓体。
【請求項４】
請求項１乃至請求項３のいずれか一項に記載の飲料用容器の栓体を備えた魔法瓶。
【考案の詳細な説明】
【技術分野】
【０００１】
本考案は、飲料用容器の栓体及びそれを備えた魔法瓶に関する。
【背景技術】
【０００２】
従来から、魔法瓶といった飲料用容器には、容器本体の開口部に被着される栓本体にヒンジ部を介して連結される蓋体を備えた栓体が用いられている。このような栓体を備えた飲料容器として、栓本体の他端で蓋体を閉状態に保持するロック機構を備えたものが知られている（例えば、特許文献１参照）。
【０００３】
上記特許文献１に記載の飲料容器では、容器本体の開口部に装着された栓体に対して、ヒンジを介して回動可能に装着された蓋体を、閉状態で保持するロック機構を有する。このロック機構は、蓋体に設けられた係合受け部と係合する係合部材と、係合部材の外面側に対して上下方向に摺動可能に取り付けられたスライドボタンと、から構成される。このロック機構では、スライドボタンが上位置にあるとき、スライドボタンに一体に設けられた突出片が、栓体に設けたストッパに当接して、係合部材の係合爪が蓋体の係合受け部に係合され閉蓋状態となる。一方、スライドボタンが下位置にあるとき、突出片がストッパに当接せず、係合部材の係合爪が蓋体の係合受け部から解除され開蓋状態となる。
【先行技術文献】
【特許文献】
【０００４】
【特許文献１】実用新案登録第３１４２０５３号公報
【考案の概要】
【考案が解決しようとする課題】
【０００５】
しかしながら、上記特許文献１に記載の飲料容器のように、スライドボタンが外方に突出していると、例えば、飲料容器を鞄等から出し入れする際に、スライドボタンが何かの物体に接触して移動してしまい、ロック機構が使用者の意図に反して解除されてしまうことがある。
【０００６】
本考案は、上記課題に鑑みてなされたものであり、ロック機構が意図せず解除されることを抑制することができる飲料用容器の栓体及びそれを備えた魔法瓶を提供することを目的とする。
【課題を解決するための手段】
【０００７】
上記課題を解決するため、本考案は、飲料用容器本体の開口部に被着される栓本体と、前記栓本体の一端にヒンジ部を介して回動自在に連結される蓋体と、前記栓本体の他端で前記蓋体を閉状態に保持するロック機構と、を備えた飲料用容器の栓体であって、前記ロック機構は、前記蓋体に設けられた係合部と係合する係合片と、前記係合片の外側に併設され上下に摺動自在なスライド片と、前記係合片を軸支し且つ前記スライド片をガイドするガイド枠体と、を有し、前記スライド片は、前記係合片に対して上位置にあるとき該係合片と共に回動し、前記係合片に対して下位置にあるとき前記係合片の回動を規制し、前記ガイド枠体は、前記スライド片が前記係合片に対して下位置にあるとき該スライド片の下端部面と当接する保護枠部を有することを特徴とする。
【０００８】
上記飲料用容器の栓体において、前記スライド片は、前記係合片の両側部を挟持する一対の側壁部を有し、前記一対の側壁部は、前記係合片の両側部へ向けて突出した突起部を夫々有し、前記係合片は、その両側部から前記側壁部に向けて夫々突出した一対の凸部を有し、前記スライド片が前記係合片に対して上下に摺動するとき、前記突起部は、前記凸部を乗り越えて前記凸部の上端部側又は下端部側に到達することでクリック感を発生させることが好ましい。
【０００９】
上記飲料用容器の栓体において、前記係合片は、前記蓋体に設けられた係合部と係合する爪部と、前記ガイド枠体との連結用の軸支棒が挿通される軸孔を有する軸部と、を有し、前記凸部は、前記軸部よりも前記爪部側に設けられ、前記突起部は、前記側壁部の上端部側に設けられ、前記スライド片の正面側のうち下端部側に操作突起部が設けられていることが好ましい。
【００１０】
上記飲料用容器の栓体は、魔法瓶に備えられることが好ましい。
【考案の効果】
【００１１】
本考案によれば、ロック機構において、スライド片が、下位置にあるとき、スライド片の下端部面が、ガイド枠体の保護枠体に当接しているので、殆ど外方に突出していない。従って、スライド片が何かの物体に接触し難く、ロック機構が使用者の意図に反して解除されることを抑制することができる。
【図面の簡単な説明】
【００１２】
【図１】（ａ）は本考案の一実施形態に係る飲料用容器の栓体を備えた魔法瓶の斜視図、（ｂ）容器本体とは栓体とを分離した斜視図。
【図２】（ａ）は上記魔法瓶の正面図、（ｂ）は背面図、（ｃ）は平面図、（ｄ）は底面図、（ｅ）は右側面図、（ｆ）は右側断面図。
【図３】（ａ）は上記栓体の斜視図、（ｂ）は右側面図、（ｃ）は正面図、（ｄ）は背面図、（ｅ）は平面図、（ｆ）は底面図。
【図４】（ａ）上記栓体においてスライド片が下位置にあるときの右側断面図、（ｂ）はスライド片が上位置にあるときの右側断面図。
【図５】（ａ）は係合片に対してスライド片が下位置（ロック状態）の正面側からの斜視図、（ｂ）は係合片に対してスライド片が上位置（解除状態）の正面側からの斜視図、（ｃ）はロック状態の背面側からの斜視図、（ｄ）は解除状態の背面側からの斜視図、（ｅ）ロック状態の背面図、（ｆ）は解除状態の背面図。
【図６】（ａ）は係合片及びスライド片を回動させた状態を示す右側面図、（ｂ）は栓本体に対して蓋体が開状態となったときの右側断面図。
【考案を実施するための形態】
【００１３】
本考案の一実施形態に係る飲料用容器の栓体について、図面を参照して説明する。図１（ａ）（ｂ）及び図２（ａ）乃至（ｆ）に示すように、本実施形態の飲料用容器の栓体（以下、栓体１）は、魔法瓶１０に備えられる。魔法瓶１０は、栓体１と、飲料用容器本体（以下、容器本体２）と、を備える。栓体１は、容器本体２の開口部２０に被着される栓本体３と、栓本体３の一端にヒンジ部４を介して回動自在に連結される蓋体５と、栓本体３の他端で蓋体を閉状態に保持するロック機構６と、を備える。なお、本例では、ロック機構６が設けられた他端側を正面側といい、ヒンジ部４が設けられた一端部側を背面側という。
【００１４】
容器本体２は、ステンレス製の内外容器２１により真空断熱壁を形成した魔法瓶タイプとされている（特に、図２（ｆ）参照）。開口部２０は筒状に形成されており、開口部２０の径は内外容器２１の径より小さく、内外容器２１の上端部から開口部２０の下端部にかけて肩部２２が形成されている。本実施形態では、肩部２２から開口部２０かけて、ストラップ取付部材２３が装着されている。
【００１５】
ストラップ取付部材２３は、下リング部２４と、この下リング部２４と一体形成され、下リング部２４より径の小さい上リング部２５と、を有する（図１（ｂ）、図２（ｆ）参照）。下リング部２４は、肩部２２を囲うように配置され、その外周部にストラップ取付用の突軸２６を有する。なお、容器本体２の内外容器２１の上部外周には、ストラップ取付部材２３を固定するための周溝部２７が形成されており、下リング部２４の内周面に形成された固定突部２８が周溝部２７に嵌合する。上リング部２５は、開口部２０を囲うように配置され、その外周部に雄ネジ部２９を有する。本例では、ストラップ取付部材２３に設けられた雄ネジ部２９を介して栓体１が螺合される構成を示すが、ストラップ取付部材２３がなく、開口部２０の外周面に形成された雄ネジ部（不図示）を介して栓体１が螺合される構成であってもよい。
【００１６】
ロック機構６は、蓋体５に設けられた係合部５１（図２（ｆ）参照）と係合する係合片７と、係合片７の外側に併設され上下に摺動自在なスライド片８と、係合片７を軸支し且つスライド片８をガイドするガイド枠体９と、を有する。
【００１７】
図３（ａ）乃至（ｆ）に示すように、栓本体３は、栓本体３の主体を成す胴部３１を有し、胴部３１の上面には、上方に突出した筒状の飲口３２が設けられている（図２（ｆ）、後述する図６（ｂ）も参照）。また、胴部３１の背面側の上端部には、ヒンジ軸部３３が設けられている。ヒンジ軸部３３は、後述する蓋体５のヒンジ軸部５６を挟持されるように突出片として形成されている。胴部３１の下面は開口しており、胴部３１の内周面には、ストラップ取付部材２３の雄ネジ部２９に螺合するための雌ネジ部３４（図３（ｆ）、図４（ａ）参照）が設けられている。胴部３１の側周面には、装飾及び滑り止め用の窪み部３５が左右の面に夫々設けられている。胴部３１の正面側には、ガイド枠体９の一部を構成する保護枠部（両壁部９１ａ、９１ｂ、下壁部９２）が、正面方向に突出するように形成されている。
【００１８】
蓋体５は、周面部５２及び上面部５３を有し、下面が開口した略椀形状の部材である。周面部５２の外形は、正面側の高さが背面側よりも高くなるよう形成されている。上面部５３の外形は、正面側から背面側へ下がるように傾斜している。上面部５３の左右両端は周面部５２にかけて凹部５４となるように形成されている。周面部５２の正面側には、ガイド枠体９の一部を構成する保護枠部（両壁部９３ａ、９３ｂ、上壁部９４）が正面方向に突出するように形成されている（図３（ｂ）参照）。
【００１９】
蓋体５の上面部５３の内面には、飲口３２に嵌合する口栓部５５が設けられている（図６（ｂ）も参照）。なお、蓋体５の係合部５１は、周面部５２の正面側の内面に、係合爪５１ａが外方に向けて突出するように形成されている。なお、係止爪５１ａは、突出した部分の下方面が傾斜しており、上方面が略水平である（図４（ａ）参照）。また、上面部５３の背面側端部には、ヒンジ軸受部５６が形成されている。ヒンジ軸受部５６には、ヒンジ軸部３３を挟持するように一対の突出片として形成されている。なお、ヒンジ軸受部５６の内側面には、回動方向への付勢力を発生させる付勢バネ（不図示）が内装されている。
【００２０】
ガイド枠体９は、栓本体３側の両壁部９１ａ、９１ｂと、蓋体５側の両壁部９３ａ、９３ｂとで、スライド片８を挟持し、スライド片８の上下の摺動方向をガイドする。栓本体３側の両壁部９１ａ、９１ｂには、係合片７を軸支する軸支棒の軸受孔９５が夫々形成されている（図３（ａ）（ｂ）参照）。また、栓本体３側の両壁部９１ａ、９１ｂ、下壁部９２及び胴部３１の正面側外面は、係合片７及びスライド片８の下部分が押し込まれるための収容空間９６（図４（ａ）参照）を形成する。ガイド枠体９の下壁部９２には、スライド片８の下端部面と当接すると共に、スライド片８の背面側の下端部と当接する段差部９２ａ（保護枠体）が設けられている。胴部３１の正面側外面のうち収容空間９６を成す面には、付勢用のコイルバネ９７が取付けられ、係合片７及びスライド片８の下部分の押し込みに反する付勢力を発生させる。
【００２１】
図４（ａ）（ｂ）及び図５（ａ）乃至（ｆ）に示すように、係合片７は、板状部７１と、板状部７１の上端側に形成され、蓋体５の係合部５１（係合爪５１ａ）と係合する爪部７２と、ガイド枠体９との連結用の軸支棒が挿通される軸孔７３を有する軸部７４と、を有する。軸部７４は、板状部７１の上下方向の略中央位置に設けられ、板状部７１のうち軸部７４より下方側の端部が押し込まれると、板状部７１の軸部７４より下方側の部分及び爪部７２が外方に引き出される（図６（ａ）も参照）。
【００２２】
爪部７２は、正面側の形状がスライド片８の上端部と略同形状となるよう形成されており、スライド片８が上位置にあるとき、スライド片８によって隠されて正面方向からは見えなくなる（図５（ｂ）参照）。爪部７２は、側面視形状では、突出した部分の上方面が傾斜しており、下方面が略水平である（図４（ａ）参照）。
【００２３】
板状部７１は、軸部７４と爪部７２との間が幅狭となるよう形成されており、この幅狭な部分に、左右両方に（後述するスライド片８の側壁部８２に向けて）突出した凸部７５が形成されている。凸部７５の上下方向の長さは、スライド片８の摺動距離と略等しく、その上端部及び下端部の角は、斜面となるよう面取りされている。また、板状部７１の下方側端部には、コイルバネ９７の受け部が設けられている。
【００２４】
スライド片８は、板状部８１と、板状部８１の背面側から立設されて係合片７の両側部を挟持する一対の側壁部８２と、係合片７の下方端部を囲うように保持・ガイドする一対のＬ字ガイド部８３と、を有する。板状部８１の正面側には、操作突起部８４が形成されている。操作突起部８４は、側面視で山形の突起であり、板状部８１の上下方向の中央よりもやや下端部側に配置されている。また、操作突起部８４は、スライド片８を上方向にスライドさせるときに力が掛かり易いように、下面側の傾斜が上面側の傾斜よりも強くなっている。スライド片８の上下左右の４側周面は、ガイド枠体９を構成する両壁部９１ａ、９１ｂ、９３ａ、９３ｂ、下壁部９２及び上壁部９４で覆われており、側面視では、スライド片８の正面側の僅かな一部と、操作突起部８４が外方に突出している。
【００２５】
側壁部８２は、板状部８１の上下の上下方向の略中央位置に設けられ、係合片７の軸孔７３に挿通される軸支棒が挿通される長孔８５が形成されている。そのため、スライド片８は、軸支棒を軸として係合片７と共に回動する一方で、スライド片８は、長孔８５に沿って軸支棒がガイドされることで、係合片７に対して上下に摺動自在となる。また、Ｌ字ガイド部８３で係合片７の背面側面がサポートされるので、係合片７の下端部とスライド片８の下端部が押し込まれたときに、係合片７の下端部との間でグラつくこともなく、係合片７と共に回動する。
【００２６】
また、一対の側壁部８２は、係合片７の両側部へ向けて突出した突起部８６を夫々有する。突起部８６は背面視形状が略三角形であり、面取りされた係合片７の凸部７５の上端部又は下端部と適度な抵抗で移動する。従って、スライド片８が係合片７に対して上下に摺動するとき、突起部８６は、弾性変形しながら係合片７の凸部７５を乗り越えて、凸部７５の上端部側又は下端部側で復元することで、クリック感を発生させる。
【００２７】
上記のように構成されたロック機構６では、係合片７が蓋体５の係合爪５１ａに係合された状態で、スライド片８が、係合片７に併設された状態で上下方向に摺動自在となる。図４（ａ）に示したように、スライド片８が、下位置にあるとき、スライド片８の下端部が、ガイド枠体９の下壁部９１（保護枠体）の段差部９２ａの鉛直面に当接し、スライド片８の下端部を外方から内方に押し込んでも、スライド片８は押し込まれないので、スライド片８に併設された係合片７の回動も規制され、ロック機構６がロック状態となる。このとき、スライド片８の下端部面が段差部９２ａの水平面に当接しており、スライド片８は、操作突起部８４を除いて、殆ど外方に突出していない。従って、使用者が、例えば、魔法瓶１０を鞄等から出し入れする際に、スライド片８が何かの物体に接触し難く、ロック機構６が使用者の意図に反して解除されることを抑制することができる。
【００２８】
そして、図４（ｂ）に示したように、スライド片８を、上位置に摺動させたとき、スライド片８の突起部８６が、係合片７の凸部７５を乗り越えることで（図５（ｅ）（ｆ）参照）、使用者に適度な操作抵抗を与えると共に、凸部７５に対して凹状となった凸部７５の上端側位置に嵌って復元することで、パチンとしたクリック感を発生させる。
【００２９】
なお、上記のような操作抵抗及びクリック感を与えるために、例えば、係合片とスライド片とが対向する両面に夫々凸部を設けた場合には、スライド片が押し込み操作されたときに、夫々の凸部が擦り減ってしまうと、スライド片が抵抗なく上下に摺動するようになる虞がある。一方、本実施形態によれば、側壁部８２に夫々形成された一対の突起部８６と、係合片７側の一対の凸部７５とは、互いの接触方向がスライド片８の押し込み方向とは直交するので、スライド片８が押し込み操作されても、突起部８６及び凸部７５が擦り減ることもない。また、突起部８６及び凸部７５は夫々２組なので、凸部が１組である場合に比べて、擦り減り難くなり、繰り返しの摺動操作がなされても、長期間にわたって適度な操作抵抗とクリック感を発生させることができ、意図に反するロック機構６の解除をより効果的に抑制することができる。
【００３０】
また、凸部７５は、軸部７４よりも爪部７２側に設けられており、突起部８６は、側壁部８２の上端部側に設けられている（図５（ｅ）（ｆ）参照）。また、操作突起部８４は、スライド片８の正面側のうち下端部側に設けられており、凸部７５や突起部８６とは離れている。そのため、操作突起部８４が使用者の指で押されられても、凸部７５や突起部８６は押さえられないので、凸部７５又は突起部８６がスライド片８のスライド時に適度に変形し、パチンと快活なクリック感を得ることができる。
【００３１】
なお、本考案は、スライド片８が、係合片７に対して上位置にあるときロック機構６が解除され、係合片７に対して下位置にあるときロック状態となり、ガイド枠体９が、ロック状態にあるスライド片８の下端部面と当接する下壁部（保護枠部）を有する構成であれば、上記実施形態に限らず、種々の変形が可能である。栓本体３や蓋体５の形状は、上述した形状に限らず、適宜に変更され得、例えば、蓋体５は、凹部５４のような凹みがなく、より丸みを帯びた外形形状であってもよい。また、容器本体２についても、任意の形状のものが採用され得、上述した内外容器２１に限られず、また、ストラップ取付部材２３を備えない構成であってもよい。更に、例えば、係合片７は、可撓性のある樹脂材料で形成されていてもよい。この場合、例えば、蓋体５が栓本体３に対して開いた状態であるが、スライド片８が、図４（ａ）に示したように下位置（ロック状態）にあるとき、係合片７に可撓性がない硬質な樹脂材料で形成されていると、スライド片８を上位置に移動させないと蓋体５を閉めることができない。また、この状態で無理に蓋体５を閉めようとすると、係合片７の爪部７２が損傷する虞がある。一方、係合片７が、可撓性のある樹脂材料で形成されていると、係合片７が僅かに変形するので、スライド片８が下位置（ロック状態）のまま、蓋体５を閉めることができる。
【符号の説明】
【００３２】
１      栓体
１０    魔法瓶
２      容器本体
２０    開口部
３      栓本体
４      ヒンジ部
５      蓋体
５１    係合部
６      ロック機構
７      係合片
７２    爪部
７４    軸部
７５    凸部
８      スライド片
８２    側壁部
８４    操作突起部
８６    突起部
９      ガイド枠体
９２ａ  段差部（保護枠部）
【図１】
0003224655.tif 000003
【図２】
0003224655.tif 000004
【図３】
0003224655.tif 000005
【図４】
0003224655.tif 000006
【図５】
0003224655.tif 000007
【図６】
0003224655.tif 000008